(57)【特許請求の範囲】
【請求項１】
本体２に内蔵されたモーターに連結された回転軸４が本体上面に突出し、該回転軸４に固設された回転円板６を具備することと、該回転円板６に貼り替え自在に、略同径の円形の耐水サンドペーパー８を貼着することにより研磨シート１０が構成されることと、本体左右側面に固設された受け具２８、３０に着脱自在にねじ止め固定される該回転円板６中央部を横断するアーム部材１８に耐水サンドペーパー表面を水で濡らす水供給装置２６、及び歯周用器具の刃先の研磨シート１０への角度を調整する刃角ガイド２０が具備されることを特徴とする歯周用器具研磨装置。
【請求項２】
請求項１に記載の歯周用器具研磨装置を用いた研磨方法であって、モーター駆動の回転円板６に貼着した耐水サンドペーパー８を用いて歯周用器具の刃を研磨する研磨方法において、回転する耐水サンドペーパー８により構成される研磨シート１０に対し、研磨すべき刃を正しい角度で圧接し、所定の刃先角度を得るために、片手あるいは両手で保持した歯周用器具の第一シャンク４８を刃角ガイド２０を支点に刃先角度を変化させながら研磨することを特徴とする研磨方法。
【請求項３】
請求項１に記載の歯周用器具研磨装置を用いた研磨方法であって、前記水供給装置２６を構成する板状フレーム２２に水を含んだスポンジブラシ２４を圧入し、耐水サンドペーパー８表面に圧接することにより耐水サンドペーパー８表面に水を供給し、所謂水研ぎを行うことで、器具の刃先の硬度低下を防ぐことを特徴とする研磨方法。
【請求項４】
前記回転円板６は速度調節機能、および回転方向反転機能を有することを特徴とする請求項１に記載の歯周用器具研磨装置。
【請求項５】
前記アーム部材１８を固定するために本体側面に固設された受け具２８、３０については、左側面の該受け具３０は上面から下面に貫通孔が設けられ、右側面の受け具２８は貫通孔の前面が解放されＵ字溝となっていることを特徴とする請求項１に記載の歯周用器具研磨装置。
【請求項６】
断面が円形の太い針金状のアーム部材１８はコの字型で、回転円板中心部上方を横断し、左側面の受け具３０に貫入される垂下された脚部を支点に旋回し、もう一方の垂下された脚部が右側面の受け具２８のＵ字溝に前方より嵌入、ねじ止め固定されることと、脚部の適切な位置にアーム部材１８の上下的位置決めをする円環３２が固設されていることを特徴とする請求項１に記載の歯周用器具研磨装置。
【請求項７】
前記アーム部材１８の中心から左半分に長方形の板状フレーム２２が固設され、前記板状フレーム２２より僅かに大きなサイズのスポンジブラシ２４が圧入され、前記水供給装置２６が構成されることと、前記アーム部材１８の中央部から右半分前面に研磨シート１０に対し４０度の角度で設けられた切り欠け斜面７６が刃角ガイド２０となることを特徴とする請求項１に記載の歯周用器具研磨装置。
【請求項８】
前記耐水サンドペーパー８は前記回転円板６と略同径の円形で中心部に前記回転軸４より僅かに大きい径の貫通孔３４が設けられ、裏面に貼着された粘着性両面テープ３６の剥離紙は弓形突出部３８が設けられていることを特徴とする請求項１に記載の歯周用器具研磨装置。
【請求項９】
前記耐水サンドペーパー８の粒度は４００番から３０００番で、粗目から中目、細目から極細目まで幅が広く、様々な状況の刃先に対応可能であることを特徴とする請求項１に記載の歯周用器具研磨装置。
【発明の詳細な説明】
【技術分野】
【０００１】
本発明はキュレット、スケーラー等の歯周用器具の研磨において改善を図った研磨装置、特に回転円板に耐水サンドペーパーを貼り替え式に貼り付けて研磨シートを構成している歯周用器具研磨装置に関する。
【背景技術】
【０００２】
今や、国民病とも言われる歯周病は成人の約７割が罹患し、進行した歯周病のある者の割合は改善していない。その予防、治療は、歯と歯茎の間の歯周ポケットと呼ばれる隙間に沈着する歯垢、歯石を除去し、歯根面を平滑にすることが最も重要である。
【０００３】
その際、使用される器具がキュレット、スケーラー等の歯周用器具(以下、歯周用器具という）である。 歯周用器具は幅０.5ｍｍ程度の極めて狭い歯周ポケットに挿入し歯根面に付着する歯石を除去したり、汚染セメント質の清掃に用いられる極めて微細な刃を有する器具である。
【０００４】
治療効率を上げるには刃先の鋭利な切れ味の良い器具の使用が不可欠である。しかしながら長径が約４ｍｍ、刃幅が１ｍｍ前後の極めて小さな刃先の器具を正確に研磨することは極めて困難である。
【０００５】
従来は図２で示すように手動式研磨の場合片方の手に歯周用器具を、もう一方の手で砥石１６を保持し研磨を行っていたが、両方の手がフリーハンドになり確実な固定は困難であり、更に刃先の直視も困難で長径が約４ｍｍ、刃幅が１ｍｍ程度の小さな刃を正確に研磨することは極めて困難であり、限られた熟練者が行っていた。歯科医師、歯科衛生士などの一般的な作業者には時間的にも、労力的にも非能率的であり、作業者は大きなストレスを強いられていた。（非特許文献１、非特許文献２参照）
【０００６】
又、砥石は高価にもかかわらず偏耗、摩耗により研磨性能が低下すれば交換せざるを得ずコスト的にも問題があった。さらに歯周用器具は極めて高価であるにもかかわらず、不適切な研磨作業により、刃先の損耗、変形等をきたせば早期に廃棄せざるを得ず、コスト的に大きな問題があった。
【０００７】
又、機械式研磨の場合、研磨装置の多くはモーター駆動により砥石を回転運動、もしくは往復運動させて研磨を行うが砥石の運動速度は比較的速く、砥石の粒度も多くは６００番程度であり、比較的粗いので歯周器具の刃先の損耗が大きい。更に多くは水や油を使用しない空研ぎであり、歯周用器具の微細な刃先は摩擦熱の影響を受けやすく材質が劣化し器具が長持ちしないなどの問題点があった。砥石そのものも高価であるにもかかわらず、金属粉による目詰まりで研磨性能が低下したり、偏耗、摩耗が生じれば交換が必要になり、コスト的にも問題となる。（非特許文献３、非特許文献４、参照）
【０００８】
又、機械式研磨方法の中で歯周用器具を保持器で固定し、更にモーター駆動の回転砥石車と連動させ、歯周用器具の刃先を自動的に研磨する装置もあるが、極めて高価であり、操作が複雑で一本の器具を保持器に固定するのに時間を要し、固定が不正確の場合、刃先の正確な研磨は困難である。砥石車の目が６００番〜８００番程度と比較的粗く、刃先の損耗が大きい等の問題があった。（特許文献1、非特許文献５参照）
【０００９】
一般の歯科診療所において、切れ味の鈍った歯周用器具の刃先を新品のように鋭利に再生する試みはこれまで様々な方法で行われてきた。しかし歯周用器具の製造工程の整った機械設備や、熟練の作業者を確保することは不可能であり、歯周用器具の正確な研磨において歯科医師、歯科衛生士などの一般的作業者の多くは強いストレスを強いられていた。
一般の歯科診療所において、さほどの熟練を要せず、取り扱いの容易な機械で切れ味の鈍った歯周用器具を新品のように鋭利に再生できる研磨装置の開発が望まれていた。
【先行技術文献】
【特許文献】
【００１０】
【特許文献１】特許２５５５２９１
【非特許文献】
【００１１】
【非特許文献１】佐藤昌美著  ザ、シャープニング、医歯薬出版株式会社、2017年5月20日発行、ｐ．１ー８２
【非特許文献２】仲谷寛  他著、学研書院、スケーリング＆ルートプレーニング、２００６年10月1日、Ｐ．３２−４０、P．82-88
【非特許文献３】インスツルメント電動シャープナー、LMロンドプラス、白水貿易株式会社、2016年
【非特許文献４】シャープナーリボン取扱説明書、株式会社YDM、株式会社モリタ、2017年
【非特許文献５】ペリオスター３０００取扱説明書、白水貿易株式会社、２０１３年
【発明の概要】
【発明が解決しようとする課題】
【００１２】
キュレット、スケーラー等の歯周用器具の製造工程を考えると、縦回転する厚みのある大型の円盤状の砥石の縁の研磨面に、熟練職人が十分に注水しながら器具の刃面を一定の角度、一定圧力で宛がうことにより鋭利な刃先が形成され、切れ味の良い器具が製造されるのが一般的である。又、近年では製造工程にロボットが導入され始めている。        
【００１３】
一般の診療所において、切れ味の鈍った器具の刃先を元のように鋭利に再生する試みはこれまで様々な方法で行われてきた。しかし設備も、熟練の職人も確保することは不可能であり、極めて微細な刃を有する歯周器具の刃先を鋭利に再生することは極めて困難であった。
【００１４】
従来の歯周用器具の研磨は、手動式にしても機械式にしても砥石を使用していた。使用される砥石の粒度はほとんどが６００番台であり、比較的粗目である。粗い砥石で研磨した刃先を拡大してみると、図８を参照しながら後述するように大きな鋸歯状を呈しており、大きな鋸歯状の刃先の先端は使用により磨滅して丸みを帯び、鋭利さを失い切れ味が低下しやすい。それに対し非常に細かな粒度の砥石で研磨すれば刃先は極めて小さな鋸歯状を呈し、切れ味が低下しにくい。しかし砥石の粒度を細かくすればするほど金属粉による目詰まりで研磨性能は低下しやすくなる矛盾が生じる。
【００１５】
又、歯周用器具も含めて一般的に器具の刃の研磨においては、器具と砥石の両方を固定して研磨すれば最も安定して研磨を行える。
【００１６】
歯周用器具の研磨において手動式研磨は歯周用器具と砥石の両方を手で持って研磨するために、固定が不安定になり正確な研磨は困難である。又、機械式研磨は砥石が回転運動、あるいは往復運動することにより安定した研磨面は確保できるが、砥石の粒度が細かいと金属粉の目詰まり等により研磨性能が低下しやすく、ある程度粗い粒度になるため歯周用器具の損耗が大きい、又、水研ぎが困難なため歯周用器具の刃先の材質が摩擦熱のため劣化しやすい等の問題点があった。
【００１７】
本発明は上記のような従来技術の問題点に鑑みて、極めて微細な刃を有する歯周用器具を、一般の歯科診療所において、さほどの熟練を要せずとも歯科医師、歯科衛生士などの作業者が安全に、より簡単に、より高精度の研磨ができるように改善された歯周用器具研磨装置を提供することを目的とするものである。
【課題を解決するための手段】
【００１８】
上記の目的を達成するために、本発明は本体内部に収容されたモーターに連結された回転軸が本体上面から突出し、前記回転軸に固定された円板上面に、粘着性両面テープを介して貼り替え式に耐水サンドペーパーを貼着することにより研磨シート（以下、回転円板に円形耐水サンドペーパーを貼着したものを研磨シートという）を設けたことを特徴とするものである。
【００１９】
本発明の歯周器具用研磨装置は回転速度調節機能および回転方向反転機能を有する構成となっている。
【００２０】
耐水サンドペーパーの粒度は粗目（４００番〜６００番）、中目（８００番〜１０００番）、細目（１２００番〜２０００番）、極細目（３０００番）となっている。
【００２１】
回転円板に貼着する円形耐水サンドペーパーは、該回転円板より僅かに径が大きく、中心部に本体上面部より突出する回転軸より僅かに径の大きな貫通孔が設けてある。又、該円形耐水サンドペーパー裏面に貼着された粘着性両面テープは剥離紙の一部に弓形突出部が設けられている。
【００２２】
尚、着脱可能に使用できる水供給装置、および刃角ガイドを具備している。
【００２３】
前記水供給装置は上，下面開口部が長方形の板状フレームで構成され、その板状フレームで囲まれた空間に略同形、僅かに大きめのサイズの直方体のスポンジブラシが圧入される構成となる。前記スポンジブラシの下端部は板状フレームより僅かに突出し、研磨シートに接する。該板状フレームは前面が回転円板中心部上面を横断するアーム部材の後面に中心より左側に固設されている。
【００２４】
前記アーム部材は断面が円形、棒状で回転円板の中心部を通り、横方向に回転円板上方を僅かな間隔で回転円板と平行に延在する。両端は前記回転円板より僅かに長い部分で直角に下方に屈曲、垂下する脚部を有する下方に向かってコの字形状を示し、前記脚部は本体側面部に設けられた受け具に着脱可能にネジ止め等により固定される。尚、前記脚部の適切な位置に円盤が固設される。
【００２５】
前記アーム部材の中心より右側半分の前面に、前記回転円板の半径より僅かに短い長径で、長方形の切欠部が形成され、前下方に下降する傾斜面(以下、切り欠け斜面という）を形成し、前記切り欠け斜面は前記回転シートに対し４０度の角度を為し、刃角ガイドを構成する。
【発明の効果】
【００２６】
本発明に係る歯周用器具研磨装置は、上述のような構成からなるものであり、以下のような効果を有する。
【００２７】
（１）  研磨シートが回転することにより安定した研磨面が形成され、歯周用器具の刃先を直視しながら、刃角ガイドを用い乍ら、両手、あるいは片手で器具をしっかり保持し、適切な角度調整、圧力調整に集中できるので、より高精度の研磨が可能になる（図３参照）。
【００２８】
（２）   高価な砥石であっても使用により研磨面が摩耗、偏耗すれば研磨性能が低下し交換せざるを得ない。砥石の代わりに安価な貼り替え自在の耐水サンドペーパーを使用することで高精度の研磨性能を維持し、更にコスト削減につながる。
【００２９】
（３）  耐水サンドペーパーの粒度は４００番から３０００番と粗目(４００番〜６００番）、中目（８００番〜１０００番）、細目（１２００番〜２０００番）、極細目（３０００番）と幅が広く、歯周用器具の刃先の様々な状況に応じ対応が可能である。即ち刃先の欠け、変形等、損耗が大きい場合には粗目、中目のもので形態修正後に細目、極細目のもので仕上げ研磨を、単に切れ味が低下している場合には初めから細目、極細目のものを使用することで、器具の刃先の損耗を最小限に抑え、より繊細な高精度研磨が可能になる。
【００３０】
（４）  回転する耐水サンドペーパーにより構成される研磨面に水を供給し、所謂水研ぎをすることにより、静電気と摩擦熱が抑えられ、研ぎカスが排出されるため、きれいで安定した仕上がりが得られるとともに、金属劣化を防ぎ器具を長持ちさせることが可能。
【００３１】
（５）上記のように構成された本発明の歯周器具用研磨装置を用いれば、高度の熟練を要さずとも、一般の歯科診療所の歯科医師あるいは歯科衛生士などの一般的な作業者が安全、簡単、高精度に歯周用器具の研磨ができる。
【００３２】
（６）  常に切れ味の良い器具を使用することにより、歯石除去等の歯周病治療が容易になり、歯科医師、歯科衛生士等の術者の疲労を軽減させるばかりか、患者の快適感と満足度を向上させる。
【００３３】
尚、超高齢化の進む我が国にあって、歯周病と全身の健康の関連性が叫ばれる中、歯周病治療の効果を上げることで健康寿命の延伸に寄与できる可能性も考えられる。
【図面の簡単な説明】
【００３４】
【図１】本発明の一実施の形態による歯周器具用研磨装置の全体を示す斜視図である。
【図２】歯周用器具手動式研磨の一実施形態を示す図である。
【図３】本発明の歯周用器具研磨装置の一実施形態（キュレット研磨）を示す斜視図である。
【図４】左右側面受け具に固定されたアーム部材の斜視図であり、刃角ガイドの拡大図である。（本体は省略）。
【図５】本発明の歯周器具用研磨装置を示す図であり、アーム部材旋回時の分解斜視図である。
【図６】本発明の歯周器具用研磨装置の研磨シートの分解斜視図であり、（Ａ）は耐水サンドペーパーであり、（Ｂ）は粘着性両面テープであり、（Ｃ）は回転円板である。
【図７】歯周用器具（キュレット）の部分斜視図であり、その刃部の拡大斜視図である。
【図８】歯周用器具（キュレット）の粗目研磨と極細目研磨の切縁の同倍率の比較拡大図であり、（Ａ）は粗目研磨後の切縁の拡大図であり（Ｂ）は極細目研磨後の切縁の拡大図である。
【図９】.刃角ガイド使用のキュレット研磨の実施形態を示す一部拡大断面図であり、（Ａ）は図６（Ｂ）のＡ−Ａ’線での断面で切り欠け斜面上縁を支点に第一シャンクが研磨シートと３０度の角度の状態での研磨を示し、（Ｂ）は図６（Ｂ）のＢ−Ｂ’線での断面で第一シャンクは刃角ガイド斜面と平行に接し、研磨シートと４０度の角度の状態での研磨を示し、（Ｃ）は図６（Ｂ）のＣ−Ｃ’線でで断面で切り欠け斜面下縁を支点に第一シャンクが研磨シートと65度の角度の状態での研磨を示す拡大断面図である。
【図１０】（Ａ）は歯周用器具（鎌形スケーラー）の部分斜視図であり、（Ｂ）は刃部のＤ−Ｄ’線での断面で第一シャンクと研磨シートとの角度が約１０度での研磨の状態を示す拡大断面図である。
【発明を実施するための形態】
【００３５】
以下に本発明を具体化した実地形態を図面に従って説明する。以下図面中の説明において、上は本発明の装置の上面を示し、下は前記装置の下面を示し、右は前記装置を正面から見た場合の右側面を示し、左は前記装置を正面から見た場合の左側面を示し、前は前記装置の前面を示し、後は前記装置の後面を示す。
【００３６】
図１を参照して、本実地形態の歯周用器具研磨装置は本体2上面から突出したモーター駆動の回転軸４に固定された回転円板６を具備している。回転円板６上面には粘着性両面テープを介して耐水サンドペーパー８が貼着され研磨シート１０を構成している。本発明の歯周用器具研磨装置は回転速度調節ツマミ１２及び回転方向切り替えスイッチ１４を具備し、回転円板６は回転速度調節及び正逆反転が可能であり極めて小さな刃先の繊細な研磨に好適である。
【００３７】
図３を参照して、研磨シート１０が回転することにより安定した研磨面が形成され、歯周用器具の研磨の際、刃先を直視し水供給装置２６、及び刃角ガイド２０を用いながら両手、あるいは片手で器具をしっかり保持し、適切な角度調整、圧力調整に集中しながら摺動できるので、より高精度の研磨が可能になる。
【００３８】
図４および図７を参照して、回転円板６中心部の上方を横方向に延在するアーム部材１８の中心より右側半分の前面に、回転円板６の半径より僅かに短い長径で、長方形の切欠部が形成され、前下方に下降する傾斜面、即ち切り欠け斜面７６を形成する。切り欠け斜面７６は研磨シート１０に対し４０度の角度を為し、刃角ガイド２０を構成している。手指で保持した歯周用器具の第1シャンク４８を切り欠け斜面７６に平行に宛がいながら、刃面を研磨シート１０に摺動させることにより安定した研磨ができ、刃部の上面５４に対し７０度の角度で側面５６が形成される。即ち、７０度の切縁６０を有する刃先が形成されることになる。しかし、切縁６０の角度は歯周用器具の種類により異なっており、更に、図７を参照しながら後述するように同一の器具においても刃部４６の部位によって、例えば刃部４６の基部６６、中央部６８、先端部７０で切縁６０の角度が異なるために刃角ガイド２０はあくまで目安と考えるべきである。
【００３９】
耐水サンドペーパー８の表面を水で濡らしながら研磨することで、所謂水研ぎができる。水で濡らすことは任意の適当な方法によって実施する。
【００４０】
図３および図４を参照して、アーム部材１８の中心から左半分後面に長方形の板状フレーム２２が固設され、板状フレーム２２よりわずかに大きなサイズの直方体のスポンジブラシ２４が圧入されることにより構成される水供給装置２６を用いて耐水サンドペーパー８表面に接するスポンジブラシ２４に適宜、上面から水を滴下することで回転する耐水サンドペーパー８により構成される研磨面に水を供給することができる。この場合、水に中性洗剤を極わずか（５０ＣＣの水に中性洗剤１〜２滴）加えることにより界面活性剤として作用し耐水サンドペーパー表面の撥水性が抑えられ濡らしやすい。
又、予めスポンジブラシを水に浸し、軽く絞った後にスポンジブラシ上面にスポイト等で水を滴下しながら使用すれば効率的である。
【００４１】
又、適当な大きさの筆に水を含ませて耐水サンドペーパー８表面に塗布し、表面を濡らすこともできる。その際、水に中性洗剤をごくわずかに加えることは言うまでもない。耐水サンドペ−パー８表面の水の量は、僅かに濡らす程度で十分であり、微細な刃を持つ器具の研磨であり周囲に水が飛び散るほど注ぐ必要はない。
回転する耐水サンドペーパー８により構成される研磨面に水を供給し、水研ぎが可能になり静電気と摩擦熱が抑えられる。又、研ぎカスが排出され、きれいで安定した仕上がりが得られるとともに、金属劣化を防ぎ器具を長持ちさせることができる。
【００４２】
図５を参照して、研磨シート１０を横断するアーム部材１８は本体右側面受け具２８のねじ止め固定を緩めることにより受け具から前方に外れるために、本体左側面受け具３０を中心に旋回可能で、本体上面から外れるため本体上面の回転円板６に貼着された耐水サンドペーパー８の交換時の貼り換えが容易になる。
【００４３】
又、図10を参照して後述するように歯周用器具の種類によってはアーム部材１８がない場合の研磨のほうが好適の場合もある。
【００４４】
図３および図４を参照して、アーム部材１８脚部の適切な位置に固設された円環３２は、回転円板６中心部上方をアーム部材１８が横方向に延在する部分と、回転円板６との距離が適切になるよう沈み込み防止のストッパーの役割を果たす。
【００４５】
図６（Ａ）を参照して、回転円板６よりわずかに大きい径の耐水サンドペーパー８の中心部に本体上面に突出した回転軸４よりわずかに大きい径の貫通孔３４が設けてあり、ガイド孔の役割を果たし回転円板６に貼着する際の位置決めが容易になる。又、図６（Ｂ）を参照して、耐水サンドペーパー８裏面に貼着された粘着性両面テープ３６は剥離紙の一部に弓形突出部３８が設けられ、粘着材の欠損したこの部分をつまんで剥離紙を剥がせば回転円板６への貼着作業が容易になる。又、使用済みの耐水サンドペーパー８は回転円板６より僅かに径が大きいため、回転円板６から僅かにはみ出した部分をつまんで剥がせば張り替え作業が容易になる。
【００４６】
耐水サンドペーパーの粒度は４００番から３０００番と粗目（４００番から６００番）、中目（８００番）、細目（１０００番から１２００番）、極細目（３０００番）と幅が広く、歯周用器具の刃先の様々な状況に対応が可能、即ち刃先の欠け、変形等、損耗が大きい場合には粗目、中目のもので刃先の形態修正後に細目、極細目のもので仕上げ研磨を、単に切れ味が低下している場合は始めから細目、極細目のものを使用することで、器具の刃先の損耗を最小限に抑え、更に、回転円板速度調節機能を使用することにより繊細な研磨が可能である。しかしこれは目安であり、器具の状態など実態に応じて耐水サンドペーパー８の粒度を選択すればよい。
【００４７】
又、新品の器具の刃先の形態が必ずしも使用者のニーズに合っているわけでなく、キュレット等の刃部の幅を狭めたり、厚さを薄くするするなどのカスタマイズも時には必要であり、本発明の歯周用器具研磨装置を用いれば容易に実現できる。
【００４８】
高価な砥石の頻繁な交換は時間的にも、コスト的にも問題がある。安価な耐水サンドペーパーは研磨砂塗着面が磨滅し研磨性能が低下すれば、容易に新たな耐水サンドペーパーと交換ができ高精度研磨を維持できる。
【実施例】
【００４９】
図７を参照して、第一の実施例として歯周病治療において最も汎用されるキュレット４０の研磨について説明する。キュレット４０の構造は大きく、把持部４２、頸部４４（シャンク、以下シャンクと言う）、刃部４６の３つの部分に分けられる。シャンク４４は把持部４２と刃部４６の連結部分であり、作業部位に到達しやすいよう長さや屈曲に工夫がなされている。
【００５０】
刃部４６に近いものから第一シャンク４８、第二シャンク５０、更に第三シャンク５２と呼ばれる。前歯部、小臼歯部、大臼歯部、又、上下左右など使用する部位によって、第二シャンク５０、第三シャンク５２の形態が極めて複雑になっている器具もあるが、第一シャンク４８に対して刃部４６の上面５４が約２０度傾いている構造はすべての種類で共通なので、研磨時にはシャンク４４全体の形態がいかに複雑であっても、研磨シート１０の回転により得られる研磨面と第一シャンク４８の角度のみを考慮すれば研磨面に摺動される刃の側面５６の研磨面の角度が決定され、即ち刃先の角度が決定される。
【００５１】
再び図７を参照して、刃部４６は上面５４、側面５６、背面５８で構成され、断面は略三角形であり、上面５４と側面５６が交わる線が切縁６０と呼ばれ、所謂刃を構成する。切縁６０が鋭い線になれば、切れ味の良い刃先になり、作業により切縁６０が摩耗、角度が変化して丸みを帯び、緩い面になれば切れ味の鈍った刃先になる。
又、粒度の粗い耐水サンドペーパー８で研磨した場合の切縁６０の拡大図は図８（Ａ）のように大鋸歯状切縁６２となり、それに対して図８（Ｂ）のように細かな目の耐水サンドペーパーで研磨した場合には、小さな目の小鋸歯状切縁６４となる。大きな鋸歯状の刃先の先端が丸くなると切れ味は低下しやすく、小さな鋸歯状の刃先の先端が丸くなっても影響を受けにくく、切れ味が低下しにくい。一般的に刃物研ぎの際、仕上げ研磨に微細な粒子の砥石を使用する理由である。
【００５２】
図7及び図９を参照して、キュレットの刃部４６は第一シャンク４８に対して刃部４６の上面５４が約２０度傾いており、刃部４６の中央部６８では上面５４に対して約７０度で刃の側面５６が形成されている。留意すべきは、刃先の角度が刃の部位により微妙に異なることである。一般的にキュレットの刃部４６は、前記上面５４と側面５６の成す角度が図９（Ａ）のように基部６６では約80度、図９（Ｂ）のように中央部６８では約70度、、図９（Ｃ）のように先端部７０では約45度と先端に行くにつれ薄くなっており、謂わば刃の側面５６は直線的ではなく長手方向に湾曲した形態になっている、
【００５３】
研磨シート１０が回転することにより得られる研磨面と第一シャンク４８の成す角度を例えば、刃部４６の基部６６では30度、中央部６８では40度、先端部７０では65度のように移行的に変化させることにより、上面５４と側面５６の成す角度、即ち刃先の角度が移行的にそれぞれ８０度、７０度、４５度となる微妙な角度調整が可能になる。
【００５４】
この際刃角ガイド２０の使用が極めて有効となる。即ち図９（Ａ）、図９（Ｂ）、図９（Ｃ）のように研磨面と４０度の角度をなす刃角ガイド２０の切り欠け斜面７６を支点にして、図９（Ａ）で示すように刃部４６の基部６６では刃角ガイド２０の切り欠け斜面上縁７２を支点に研磨シート１０に対する第一シャンク４８の角度を３０度に、図９（Ｂ）で示すように中央部６８では切り欠け斜面７６と平行に４０度に、図９（Ｃ）で示すように先端部７０では切り欠け斜面下縁７４を支点に６５度と変化させながら宛がうことにより、刃先の角度を移行的にそれぞれ基部６６では８０度、中央部６８では７０度、先端部７０では４５度となる研磨が可能である。
【００５５】
この際、研磨シート１０を切縁６０から側面５６の下方、即ち、背面５８方向に回転させることにより研磨バリが生じにくい。又、付属の水供給装置２６を使用し耐水サンドペーパー８の表面を濡らすことにより水研ぎが可能になる。
【００５６】
図10を参照して、第二の実施例として鎌形スケーラーの研磨について説明する。鎌形スケーラーの刃部４６は側面観は鎌形、断面は鋭角の三角形をしており、上面５４に対し両側に約８０度の角度で側面５６が形成され切縁６０が形成されている。刃部４６は先端に行くに従い薄くなっているが、直線的ではなく微妙に湾曲している。
【００５７】
このような形状の刃の研磨は手動式にしても、機械式にしても従来の方法では困難であるが、本発明の歯周用器具研磨装置を使用すれば研磨シート１０に刃の側面５６を宛がい、シャンクを軸に僅かに回転させながら研磨することにより微妙に湾曲している側面５６を有する刃先の研磨が簡単、高精度にできる。その際、図１０（Ｂ）に示すように鎌形スケーラーは刃の上面５４と側面５６の角度が８０度であり、研磨シート１０と第一シャンク４８の成す角度が約１０度と、謂わば器具をかなり寝かせた状態にする必要があり、刃角ガイド２０を使用せずに研磨を行なったほうが良い場合もある。この場合の水の供給は、発明を実施するための形態の項、段落番号００４０に於いて説明したように、適当な大きさの筆に水を含ませて耐水サンドペーパー８表面にわずかに塗布してもよい。
【００５８】
その他の器具、例えば抜歯用エレベーター、手術用鋭匙なども安全、簡単且つ高精度のの研磨ができる。
【産業上の利用可能性】
【００５９】
本発明の歯周用器具研磨装置を用いれば、様々の分野で微細な小器具、歯科用小器具以外にも例えば、小さなドライバーの先端、錐の先端なども安全、簡単に高精度の研磨が可能である。
【符号の説明】
【００６０】
２、本体
４、回転軸
６、回転円板
８、耐水サンドペーパー
１０、研磨シート
１２、回転速度調節ツマミ
１４、回転方向切り替えスイッチ
１６、砥石
１８、アーム部材
２０、刃角ガイド
２２、板状フレーム
２４、スポンジブラシ
２６、水供給装置
２８、右側面受け具
３０、左側面受け具
３２、円環
３４、貫通孔
３６、粘着性両面テープ
３８、剥離紙弓形突出部
４０、キュレット
４２、把持部
４４、頸部（シャンク）
４６、刃部
４８、第一シャンク
５０、第二シャンク
５２、第三シャンク
５４、上面
５６、側面
５８、背面
６０、切縁
６２、粗目研磨切縁
６４、極細目研磨切縁
６６、基部
６８、中央部
７０、先端部
７２、切り欠け斜面上縁
７４、切り欠け斜面下縁
７６、切り欠け斜面
【要約】
【課題】さほどの熟練を要することなく、キュレット、スケーラー等の歯周用器具の研磨を安全、簡単、高精度に行うことができる歯周用器具研磨装置を提供すること。
【解決手段】本体内部のモーターに連結された回転軸に円板が固定され、該回転円板上面に耐水サンドペーパーが粘着性両面テープを介して張り替え可能に貼着され研磨シートが構成される。前記研磨シートが回転することにより形成される安定した研磨面に、水供給装置、角度ガイドを併用しながら歯周用器具の刃面を適切な角度、圧力で宛がい、摺動させることによりにより安全、簡単に高精度の研磨ができる。
【選択図】図１【図１】
0006861330.tif 000002
【図２】
0006861330.tif 000003
【図３】
0006861330.tif 000004
【図４】
0006861330.tif 000005
【図５】
0006861330.tif 000006
【図６】
0006861330.tif 000007
【図７】
0006861330.tif 000008
【図８】
0006861330.tif 000009
【図９】
0006861330.tif 000010
【図１０】
0006861330.tif 000011